(57)【特許請求の範囲】
【請求項１】
上部が開放した、所定量の水を蓄える水保持部と、上記水保持部の上方に配置された導水部とを有する本体と、
指針軸が上記水保持部の上部に位置するように配置された時計のムーブメントと、
上記ムーブメントの指針軸に取り付けられ、一部が上記水保持部内に位置する回転板と、
時計回りに回転する回転板の回転に伴い、上記水保持部内を通過するときに水を汲み上げ、上記水保持部を通過後汲み上げた水を保持しながら所定の位置に達すると、開口部が上記導水部上に傾き当該導水部に水を排出するように、上記回転板の所定の取り付け位置に取り付けられたカップと
を有する水供給器。
【請求項２】
上記カップは回転板に対して着脱自在である
請求項１記載の水供給器。
【請求項３】
上記カップの取り付け位置は、所定時刻に対応するような位置に所定間隔をおいて複数形成され、
上記複数の取り付け位置のうち所望の位置に取り付けられたカップが、開口部が上記導水部上に傾き当該導水部に水を排出する位置に達したときに、当該所望の時間に対応する通常の時計の場合の時刻位置を指すように回転板に取り付けられた時刻指示部をさらに有する
請求項１または２記載の水供給器。
【請求項４】
上部が開放した、所定量の水を蓄える水保持部と、水保持部の上方に配置された導水部とを有する本体と、
指針軸が上記水保持部の上部に位置するように配置された時計のムーブメントと、
一部が上記水保持部内に位置するように上記指針軸に取り付けられ、所定時間に対応するように形成された複数の取り付け穴と、取り付け穴と組をなし、回転範囲を規制するための複数の回転範囲規制用長穴が形成され、取り付け穴の近傍には時刻を示す数字が示してある回転板と、
背面の下方に形成され上記回転板の取り付け穴に着脱可能な回転軸と、背面の所定の位置に形成され回転板の回転範囲規制用長穴に挿入される回転止め軸を有する水汲み上げ用カップと
を有する水供給器。
【請求項５】
上記所望の時刻を示す数字近傍の取り付け穴に取り付けられたカップが、傾き汲み上げた水を導水部に排出する位置に達したときに、その所望の時刻を示す数字に対応する通常の時計の場合の時刻位置を指すように回転板に取り付けられた時刻指示部をさらに有する
請求項４記載の水供給器。
【請求項６】
上記回転範囲規制用長穴は、上記回転板が回転し上記カップが水を排出すべき位置に達すると、当該カップが回転軸を中心とした重心位置が中心側にずれて中心側に回転し、開口部が導水部上に傾くように形成されている
請求項４または５記載の水供給器。
【発明の詳細な説明】
【０００１】
【発明の属する技術分野】
本発明は、所定時刻になると植木等に水を供給する水供給器に関するものである。
【０００２】
【従来の技術】
所定時刻になると植木等に水を供給する水供給器としては、従来、タイマで設定された時刻になると、ポンプ等で水を汲み上げて植木等に水を供給するものでが知られている。
【０００３】
【発明が解決しようとする課題】
ところが、上述した従来の水供給器では、ポンプ等で水を汲み上げるため、ＡＣ電源などが必要となり、大がかりなものとなり、簡易にかつ安価に構成することが困難である。
【０００４】
本発明は、かかる事情に鑑みてなされたものであり、その目的は、簡易にかつ安価に構成することが可能な水供給器を提供することにある。
【０００５】
【課題を解決するための手段】
上記目的を達成するため、本発明の水供給器は、上部が開放した、所定量の水を蓄える水保持部と、上記水保持部の上方に配置された導水部とを有する本体と、指針軸が上記水保持部の上部に位置するように配置された時計のムーブメントと、上記ムーブメントの指針軸に取り付けられ、一部が上記水保持部内に位置する回転板と、時計回りに回転する回転板の回転に伴い、上記水保持部内を通過するときに水を汲み上げ、上記水保持部を通過後汲み上げた水を保持しながら所定の位置に達すると、開口部が上記導水部上に傾き当該導水部に水を排出するように、上記回転板の所定の取り付け位置に取り付けられたカップとを有する。
【０００６】
また、本発明では、上記カップは回転板に対して着脱自在である。
【０００７】
また、本発明では、上記カップの取り付け位置は、所定時刻に対応するような位置に所定間隔をおいて複数形成され、上記複数の取り付け位置のうち所望の位置に取り付けられたカップが、開口部が上記導水部上に傾き当該導水部に水を排出する位置に達したときに、当該所望の時間に対応する通常の時計の場合の時刻位置を指すように回転板に取り付けられた時刻指示部をさらに有する。
【０００８】
また、本発明は、上部が開放した、所定量の水を蓄える水保持部と、水保持部の上方に配置された導水部とを有する本体と、指針軸が上記水保持部の上部に位置するように配置された時計のムーブメントと、一部が上記水保持部内に位置するように上記指針軸に取り付けられ、所定時間に対応するように形成された複数の取り付け穴と、取り付け穴と組をなし、回転範囲を規制するための複数の回転範囲規制用長穴が形成され、取り付け穴の近傍には時刻を示す数字が示してある回転板と、背面の下方に形成され上記回転板の取り付け穴に着脱可能な回転軸と、背面の所定の位置に形成され回転板の回転範囲規制用長穴に挿入される回転止め軸を有する水汲み上げ用カップとを有する。
【０００９】
また、本発明では、上記所望の時刻を示す数字近傍の取り付け穴に取り付けられたカップが、傾き汲み上げた水を導水部に排出する位置に達したときに、その所望の時刻を示す数字に対応する通常の時計の場合の時刻位置を指すように回転板に取り付けられた時刻指示部をさらに有する。
【００１０】
また、本発明では、上記回転範囲規制用長穴は、上記回転板が回転し上記カップが水を排出すべき位置に達すると、当該カップが回転軸を中心とした重心位置が中心側にずれて中心側に回転し、開口部が導水部上に傾くように形成されている。
【００１１】
本発明によれば、時計回りに回転する回転板の回転に伴い、カップがたとえば３時の位置に達すると、カップは開放部が真下を向いた状態となる。
回転板がさらに回転すると、回転板の長穴により回転が規制されて、カップは開放部が横を向くようになるとともに、本体の水保持部内を通過し、水を汲み上る状態となる。
回転板がさらに回転すると、長穴により回転止め軸が案内されながら、カップは開放部が上方を向くようになるとともに、本体の水保持部内を通過し、水を汲み上げる。
そして、回転板がさらに回転し、カップがたとえば１０時の位置に達すると、カップは、回転軸を中心とした重心位置が中心側にずれる。
これにより、カップは、中心側に回転し、開口部が導水部上に傾き導水部に水を排出する。
たとえば、カップが１２時を示す数に対応した取り付け穴に取り付けてあれば、時刻が１２時のときに水が供給され、このとき、時刻指示部は、１２時の位置（方向）を指している。したがって、ユーザ等は、おおよその時刻を知ることができる。
【００１２】
【発明の実施の形態】
図１は本発明に係る水供給器の一実施形態を示す簡略側断面図、図２は本発明に係る水供給器の一実施形態を示す正面図である。
【００１３】
本水供給器１０は、図１および図２に示すように、本体１１、時計のムーブメント１２、回転板１３、水汲み上げ用カップ１４、および時刻指示部１５を主構成要素として有している。
【００１４】
本体１１は、背板１１１の中央よりやや下方に、上部が開放した、所定量の水ＷＴＲを蓄える直方体状の水保持部１１２を有している。
また、水保持部１１２の前板１１２ａの上方には、回転板１３の前面側で中央よりやや上方から前板１１２ａの前方に向かって、下方に傾斜した導水部１１３が配置されている。
導水部１１３は、その両側部には、水を案内するための縁部１１３ａ，１１３ｂが形成されている。
そして、導水部１１３の下端部近傍に水を供給する図示しない植木等が配置される。
【００１５】
ムーブメント１２は時針軸１２１を有し、本体１１の背板１１１の裏面中央部に配置され、かつ、時針軸１２１が本体１１の背板１１１の略中央部を貫通して、背板１１１の前面側でかつ水保持部１１２の上方に臨むように配置されている。
【００１６】
回転板１３は、中心がムーブメント１２の時針軸１２１に取り付けられている。
回転板１３には、図１および図３に示すように、水汲み上げ用カップ１４を回転可能でかつ着脱自在にに取り付けるための取り付け穴１３１が、所定角度、たとえば略３０度の角度をもって１２個形成されている。
また、各取り付け穴１３１の近傍には、取り付け穴１３１に取り付けられたカップ１４の回転範囲を規制し、回転を止めるための縁が円弧状をなす長穴１３２が１２個、各取り付け穴１３１と組をなすように形成されている。
【００１７】
また、図３に示すように、回転板１３の取り付け穴１３１の外周側近傍には、時刻とカップ１４が回転する位置の、角度の差だけずらした時刻の数字（１〜１２）１３３が指示されている。
したがって、カップ１４を指示された数字１３３の近傍の取り付け穴１３１および長穴１３２に取り付けることにより、水を供給する時間を選択できる。
本実施形態では、通常の時計の１０時の位置にカップが回転してくるとカップ１４の回転が規制されてバランスがくずれ、カップ１４の開放部が導水部１１３の上部側に傾くように構成されている。
【００１８】
また、１２時を示す数字１３３に対応する取り付け穴１３１および長穴１３２にカップ１４が取り付けられると、通常の時計の場合の１２時の位置（方向）を指すように時刻指示部１５が回転板１３の外周部に取り付けられている。
本実施形態では、１０時を示す数字１３３に対応する位置に時刻指示部１５が取り付けられている。
したがって、本実施形態に係る水供給器１０において、１時を示す数字１３３に対応する取り付け穴１３１および長穴１３２にカップ１４を取り付けると、時刻指示部１５が１時の位置にきた時、カップ１４が回転して水を導水部へ流す。
同様に、２時を示す数字１３３に対応する取り付け穴１３１および長穴１３２にカップ１４を取り付けると、時刻指示部１５が２時の位置にきた時、カップ１４が回転して水を導水部へ流し、３時を示す数字１３３に対応する取り付け穴１３１および長穴１３２にカップ１４を取り付けると、時刻指示部１５が３時の位置にきた時、カップ１４が回転して水を導水部へ流し、４時を示す数字１３３に対応する取り付け穴１３１および長穴１３２にカップ１４を取り付けると、時刻指示部１５が４時の位置にきた時、カップ１４が回転して水を導水部へ流し、５時を示す数字１３３に対応する取り付け穴１３１および長穴１３２にカップ１４を取り付けると、時刻指示部１５が５時の位置にきた時、カップ１４が回転して水を導水部へ流し、６時を示す数字１３３に対応する取り付け穴１３１および長穴１３２にカップ１４を取り付けると、時刻指示部１５が６時の位置にきた時、カップ１４が回転して水を導水部へ流し、７時を示す数字１３３に対応する取り付け穴１３１および長穴１３２にカップ１４を取り付けると、時刻指示部１５が７時の位置にきた時、カップ１４が回転して水を導水部へ流し、８時を示す数字１３３に対応する取り付け穴１３１および長穴１３２にカップ１４を取り付けると、時刻指示部１５が８時の位置にきた時、カップ１４が回転して水を導水部へ流し、９時を示す数字１３３に対応する取り付け穴１３１および長穴１３２にカップ１４を取り付けると、時刻指示部１５が９時の位置にきた時、カップ１４が回転して水を導水部へ流し、１０時を示す数字１３３に対応する取り付け穴１３１および長穴１３２にカップ１４を取り付けると、時刻指示部１５が１０時の位置にきた時、カップ１４が回転して水を導水部へ流し、１１時を示す数字１３３に対応する取り付け穴１３１および長穴１３２にカップ１４を取り付けると、時刻指示部１５が１１時の位置にきた時、カップ１４が回転して水を導水部へ流す。
すなわち、本水供給器１０は、時計の機能をも併せ持つ。
【００１９】
水汲み上げ用カップ１４は、図４に示すように、上部が開放した箱状をなし、その背面１４１の図４（ａ）中右下部には、回転板１３の取り付け穴１３１に取り付けられる回転軸１４２が形成され、背面１４１の図４（ａ）中の中央部よりやや上部に、回転板１３の回転範囲規制用の長穴１３２に挿入される回転止め軸１４３が形成されている。
【００２０】
図５は、カップ１４を回転板１３に取り付けた状態を示す図である。
カップ１４の回転板１３への取り付けは、回転軸１４２を所望の取り付け穴１３１（図５の例では１２時を示す数字１３３に対応する取り付け穴）に挿入すると共に、回転止め軸１４３をその取り付け穴１３１と組をなす回転範囲規制用長穴１３２に挿入した状態で、回転板１３の裏面側から回転軸１４２の先端部に抜け防止用キャップ１４４を取り付けことにより行われる。
【００２１】
次に、上記構成による動作を、図６に関連付けて説明する。
図６（ａ）に示すように、時計回りに回転する回転板１３の回転に伴い、カップ１４が３時の位置に達すると、カップ１４は開放部が真下を向いた状態となる。
回転板１３がさらに回転すると、長穴１３２により回転が規制されて、図６（ｂ）に示すように、カップ１４は開放部が図中左側を向くようになるとともに、本体１１の水保持部１１２内を通過し、水を汲み上る状態となる。
回転板１３がさらに回転すると、長穴１３２により回転止め軸１４３が案内されながら、図６（ｃ）に示すように、カップ１４は開放部が図中左上方を向くようになるとともに、本体１１の水保持部１１２内を通過し、水を汲み上げる。
そして、回転板１３がさらに回転し、図６（ｄ）に示すように、カップ１４が１０時の位置に達すると、カップ１４は長穴１３２により回転が規制されて、回転軸１４２を中心とした重心位置が中心側にずれる。
これにより、カップ１４は、図６（ｅ）に示すように、中心側に回転し、開口部が導水部１１３上に傾き導水部１１３に水を排出する。
この例では、カップ１４は、１２時を示す数字１３３に対応した取り付け穴１３１に取り付けてあるので、時刻が１２時のときに水を供給するように設定されている。
このとき、時刻指示部１５は、１２時の位置（方向）を指している。したがって、ユーザ等は、おおよその時刻を知ることができる。
【００２２】
以上説明したように、本実施形態によれば、上部が開放した、所定量の水を蓄える水保持部１１２と、水保持部１１２の上方に配置された導水部１１３とを有する本体１１と、時針軸１２１が水保持部１１２の上部に位置するように配置された時計のムーブメント１２と、中心部がムーブメント１２の指針軸１２１に取り付けられ、水汲み上げ用カップを取り付けるための所定時間に対応するように形成された複数の取り付け穴１３１と、取り付け穴１３１と組をなし、カップ１４の回転範囲を規制するための複数の長穴１３２が形成され、取り付け穴１３１の近傍には時刻を示す数字が示してある回転板１３と、背面の下方の角に形成され取り付け穴１３１に取り付け可能な回転軸１４２と、背面の中央部のやや上部に形成され回転板１３の長穴１３２に挿入される回転止め軸１４３を有する水汲み上げ用カップ１４と、所望の時刻を示す数字近傍の取り付け穴１３１に取り付けられたカップ１４が、バランスがくずれ汲み上げた水を導水部１１３に排出する位置に達したときに、その所望の時刻を示す数字に対応する通常の時計の場合の時刻位置（方向）を指すように回転板１３に取り付けられた時刻指示部１５とを有することから、以下の効果を得ることができる。
【００２３】
すなわち、簡単な構造で水を自動で供給することができる。
また、指示された数字の取り付け穴にカップを取り付けることにより、水を供給する時間を選択することができる。
また、カップが着脱可能で、複数取り付けることやカップの大きさを変えることで、供給する水の量を調整することができる。
また、時計としても機能させることができる。
【００２４】
なお、上述した実施形態では、回転板１３をムーブメント１２の時針軸１２１に取り付けた場合を例に説明したが、本発明はこれに限定されるものではなく、たとえば回転板を分針軸に取り付けて、１時間毎またはそれ以下の時間毎に水を供給するように構成することも可能である。
【００２５】
【発明の効果】
以上説明したように、本発明によれば、簡単な構造で水を自動で供給することができる。
また、指示された数字の取り付け穴にカップを取り付けることにより、水を供給する時間を選択することができる。
また、カップが着脱可能で、複数野取り付けることやカップの大きさを変えることで、供給する水の量を調整することができる。
また、時計としても機能させることができる。
【図面の簡単な説明】
【図１】本発明に係る水供給器の一実施形態を示す簡略側断面図である。
【図２】本発明に係る水供給器の一実施形態を示す正面図である。
【図３】本実施形態に係る回転板の構成を説明するための図である。
【図４】本実施形態に係る水汲み上げ用カップの構成を説明するための図である。
【図５】本実施形態に係る水汲み上げ用カップの回転板に対する取り付け状態を説明するための図である。
【図６】本実施形態の動作を説明するための図である。
【符号の説明】
１０…水供給器
１１…本体
１１１…背板
１１２…水保持部
１１２ａ…前板
１１３…導水部
１１３ａ，１１３ｂ…縁部
１２…ムーブメント
１２１…時針軸
１３…回転板
１３１…取り付け穴
１３２…長穴
１４…水汲み上げ用カップ
１４２…回転軸
１４３…回転止め軸
１５…時刻指示部
【図１】
0003643074.tif 000002
【図２】
0003643074.tif 000003
【図３】
0003643074.tif 000004
【図４】
0003643074.tif 000005
【図５】
0003643074.tif 000006
【図６】
0003643074.tif 000007